(57)【特許請求の範囲】
【請求項１】
表示部を備え、電池の電力で駆動される携帯機器であって、
電池の電位が所定値以下になった後、あらかじめ決められているキーに対する操作を検出する操作検出手段に電力を供給する電源制御手段と、
前記電源制御手段が前記操作検出手段に電力を供給する状態になった後、前記操作検出手段が前記キーに対する操作を検出した場合に、電池の電位が所定値以下になる前に最後に通話した相手先に電子メールを送信する処理を実行する実行手段と、
前記実行手段が前記処理の実行を完了したことを示す情報を前記表示部に表示させる制御を行う通知制御手段とを備え、
前記電源制御手段は、前記電源制御手段が前記操作検出手段に電力を供給する状態になった後、前記操作検出手段が前記キーに対する操作を検出した場合に、前記実行手段に電力を供給し、
前記実行手段は、電池の電位が所定値以下になったことを示すあらかじめ決められているメール文のデータサイズよりもデータサイズが小さいデータであって、当該メール文に対応付けられたデータを電子メールとして送信する
ことを特徴とする携帯機器。
【請求項２】
携帯機器は、防災無線機である
請求項１記載の携帯機器。
【発明の詳細な説明】
【技術分野】
【０００１】
本発明は、電池式の携帯機器に関する。
【背景技術】
【０００２】
携帯電話機等の電池式携帯機器では、電池の残容量が少なくなると、ＬＶＡ（ローバッテリアラーム）と呼ばれる警告が通知される。ＬＶＡは、例えば、警告音や「充電して下さい」等の表示部への表示による通知である。そして、ある一定時間後に、誤動作等の防止のために携帯機器の電源が切断される（以下、電池切れと表記する。）。電源が切断された後は、通常、携帯機器を使用することはできない。以下、ＬＶＡが通知されることをＬＶＡが発生すると表記する場合がある。
【０００３】
優先度の高い機能を利用する機会をバッテリ切れにより逸することを防止することが可能な携帯情報端末装置が提案されている（例えば、特許文献１参照。）。特許文献１には、バッテリの残容量が、所定の機能の利用に必要なバッテリ容量以下になると、機能制限をかけることが記載されている。
【０００４】
また、本体電源がオフ状態になっていても簡単な操作で緊急先へ通報できるようにする携帯電話装置が提案されている（例えば、特許文献２参照。）。特許文献２には、緊急キーが入力されると、電源がオフであればバックアップ電源により電源をオンにして、予め記憶された番号に自動発信することが記載されている。
【０００５】
また、電池切れにより電源オフになる前に、ユーザが指定する相手に対して、電池切れになり通信ができなくなることを通知する携帯端末が提案されている（例えば、特許文献３参照）。特許文献３には、電池の電圧が所定の閾値以下になった場合に、所定のメールアドレスに対して通知を行うことが記載されている。
【０００６】
一般に、電源が切断された後は、携帯機器を使用することはできない。この場合であっても、電池の電位はゼロ電位ではなく、幾分の残容量がある。
【０００７】
通常使用による電池切れ後にも、１回または数回の動作を行うことができ、緊急用途的使用を可能にする携帯型デジタルカメラ等の電池式携帯機器が提案されている（例えば、特許文献４参照）。特許文献４には、電池切れ後に、電流消費の大きい機能に制約を与えて動作させることが記載されている。
【特許文献１】特開２００５−２９２８７３号公報（段落００７１−００７４）
【特許文献２】特開平０９−６５０１３号公報（段落００１６）
【特許文献３】特開２００５−１８２００号公報
【特許文献４】特開２００３−１２５５４１号公報
【発明の開示】
【発明が解決しようとする課題】
【０００８】
特許文献１に記載されたような携帯情報端末装置に特許文献２，３に記載されたような技術を適用すると、電池の残容量が所定の閾値以下になった場合、機能を制限し、自動的に所定の相手に通知を行うことができる。しかし、電池の残容量が所定の閾値以下になった場合に直ちに通知を行うため、ユーザが意図しない状況でも通知を行ってしまう。また、所定の閾値が、携帯端末の動作可能最低電圧の電圧値より高い電圧値であることから、携帯機器の電源を切断する際の電圧値以外の閾値を測定しなければならず、新たな機能を追加しなければならない。また、電源が切断された後は、携帯機器を使用することはできない。
【０００９】
また、特許文献４に記載された方式では、電池切れ後、すなわち電源が切断された後にも、変更した下限電圧の範囲内で制約モードで動作させることができる。しかし、撮影時には通常の撮影動作がされるため、ユーザ操作によっては撮影できずに電池を使い切ってしまう可能性がある。また、動作が完了したことをユーザが確認することができない。
【００１０】
そこで、本発明は、電池切れが生じた状態で、ユーザの希望に応じて所定の処理を行うことができる電池式の携帯機器を提供することを目的とする。
【課題を解決するための手段】
【００１１】
本発明による携帯機器は、表示部を備え、電池の電位が所定値以下になった後、あらかじめ決められているキーに対する操作を検出する操作検出手段に電力を供給する電源制御手段と、電源制御手段が操作検出手段に電力を供給する状態になった後、操作検出手段がキーに対する操作を検出した場合に、電池の電位が所定値以下になる前に最後に通話した相手先に電子メールを送信する処理を実行する実行手段と、実行手段が処理の実行を完了したことを示す情報を表示部に表示させる制御を行う通知制御手段とを備え、電源制御手段は、電源制御手段が操作検出手段に電力を供給する状態になった後、操作検出手段がキーに対する操作を検出した場合に、実行手段に電力を供給し、実行手段は、電池の電位が所定値以下になったことを示すあらかじめ決められているメール文のデータサイズよりもデータサイズが小さいデータであって、当該メール文に対応付けられたデータを電子メールとして送信することを特徴とする。
【発明の効果】
【００１２】
本発明によれば、電池切れが生じた状態で、ユーザの希望に応じて所定の処理を行うことができるという効果がある。
【発明を実施するための最良の形態】
【００１３】
まず、本発明の概要について図面を参照して説明する。図１は、本発明による携帯機器の最小の構成例を示すブロック図である。図１に例示する携帯機器は、操作検出手段３０１と、電源制御手段３０２と、実行手段３０３とを備える。
【００１４】
操作検出手段３０１は、所定の操作を検出する。
【００１５】
電源制御手段３０２は、電池の電位が所定値以下になりユーザによる電源投入操作を禁止した状態になった後、操作検出手段３０１にのみ電力を供給する。
【００１６】
実行手段３０３は、操作検出手段３０１が所定の操作を検出した場合に、電池の残電力で駆動され所定の処理を実行する。
【００１７】
図１に示すように構成すれば、電池切れにより電源が切断された状態でも、ユーザの希望に応じて所定の処理を行うことができる。
【００１８】
実施形態１．
以下、本発明の第１の実施形態を図面を参照して説明する。図２は、第１の実施形態の携帯機器を示す説明図である。ここでは、携帯機器として携帯電話機を例に説明する。図２（ａ）は、携帯電話機５を示す正面図である。図２（ｂ）は、背面図である。図２に示す携帯電話機５は、電池２と、電源キー１０と、送話キー３０と、表示部１０４とを備える。
【００１９】
電池２は、携帯電話機５に内蔵または装着されている。電源キー１０は、電源をオンにしたりオフにしたりするためのキーである。
【００２０】
表示部１０４は、例えば、液晶表示装置や有機ＥＬ（Ｅｌｅｃｔｒｏｌｕｍｉｎｅｓｃｅｎｃｅ）ディスプレイ装置等のディスプレイ装置によって実現され、情報を表示する。第１の実施形態において、表示部１０４は、電池切れ後の起動動作の完了表示を行う。
【００２１】
図３は、図２と同様第１の実施形態の携帯電話機（携帯機器）１を示す説明図である。図３（ａ）は、携帯電話機１を示す正面図である。図３（ｂ）は、背面図である。機能起動用キー２０は、あらかじめ定められた処理を電池切れ後に起動するためのキーである。図３に示すように、携帯電話機１の送話キーは、機能起動用キーの役割が割り当てられている。
【００２２】
図４は、第１の実施形態の携帯電話機５の構成例を示すブロック図である。図４には、携帯電話機５の構成要素として、図２に示された送話（緊急）キー３０の他に、電源ＩＣ１００と、メインＣＰＵ１０１と、無線部１０２と、メモリ１０３と、表示部１０４と、表示部用バックライト制御ＩＣ１０５とが示されている。
【００２３】
携帯電話機５は、例えば、相手先携帯電話機６と通話中に電池２の電位が所定の閾値以下となった場合、ＬＶＡを発生させ、一定時間後に電源を切断する。また、携帯電話機５は、プログラムに従って動作し、電池切れ後の所定の処理を実行する。
【００２４】
送話キー３０は、図２に示す機能起動用キー２０に対応し、電池切れ後の所定の処理を起動するためのキーとして動作する。送話キー３０は、ＬＶＡにより電源が切断された状態においてユーザによって所定の時間押下されると、電源ＩＣ１００に送話キー長押し信号１５０を出力する。以下、キーが所定の時間押下されることを、長押しと表記する場合がある。
【００２５】
電源ＩＣ１００は、ユーザによる所定の操作に応じて、メインＣＰＵ１０１に電源供給を行うとともに、電池切れ後の所定の機能の起動を要求する機能起動要求信号２００を送信する。第１の実施形態において、電源ＩＣ１００は、送話キー３０の押下を検出可能なキースキャン機能を有し、ＬＶＡにより電源が切断された状態において送話キー長押し信号１５０を受信した場合に、メインＣＰＵ１０１への電源供給および機能起動要求信号２００の送信を行う。
【００２６】
メインＣＰＵ１０１は、携帯電話機５の各部を制御する。メインＣＰＵ１０１は、電源ＩＣ１００からの電源供給と機能起動要求信号２００とを受けて、所定の処理を実行する。第１の実施形態において、メインＣＰＵ１０１は、電源供給および機能起動要求信号２００の受信に応じて、無線部１０２を起動させ、最後に通話した相手先の携帯電話機６にメールを送信するための処理を実行する。メインＣＰＵ１０１は、無線部１０２に無線部リセット解除信号２０２を送信することにより、無線部１０２を起動させる。
【００２７】
また、メインＣＰＵ１０１は、電池切れ後の所定の機能の起動が完了したことに応じて、その旨をユーザに通知するための処理を実行する。第１の実施形態において、メインＣＰＵ１０１は、表示部１０４にメールの送信を完了したことを示す情報を表示させるための通知制御処理を実行する。例えば、メインＣＰＵ１０１は、表示部１０４にメールの送信完了の表示を要求する表示要求信号２０８を送信し、表示部用バックライト制御ＩＣ１０５に、バックライトの点灯を要求するバックライト点灯要求信号２０９を送信する。
【００２８】
無線部１０２は、メインＣＰＵ１０１から無線部リセット解除信号２０２を受信したことに応じて起動する。また、無線部１０２は、メインＣＰＵ１０１から受信したメール情報２０３を相手先携帯電話機６に送信する。メールの送信が完了すると、無線部１０２は、送信が完了したことを示す送信完了信号２０５をメインＣＰＵ１０１に送信する。
【００２９】
メモリ１０３は、例えば、電池が切れた旨を示すメール文をあらかじめ記憶する。また、メモリ１０３は、電池が切れる前に最後に通話した相手（相手先携帯電話機６）のメールアドレスを記憶する。
【００３０】
第１の実施形態において、表示部１０４は、メインＣＰＵ１０１から表示要求信号２０８を受信すると、メールの送信を完了したことを示す情報を表示する。
【００３１】
表示部用バックライト制御ＩＣ１０５は、表示部１０４のバックライトの点灯制御を行う。第１の実施形態において、表示部用バックライト制御ＩＣ１０５は、メインＣＰＵ１０１からバックライト点灯要求信号２０９を受信すると、バックライトを点灯する制御を行う。
【００３２】
次に、図４および図５を参照して第１の実施形態の動作について説明する。図５は、第１の実施形態における携帯電話機５の動作を示すフローチャートである。
【００３３】
例えば通話中に、電池２の電位が所定の閾値以下となると、携帯電話機５は、ＬＶＡを発生させ、一定時間後に電源を切断する（ステップＳ１）。具体的には、メインＣＰＵ１０１、電源ＩＣ１００およびキーを含む操作部等に対する電力供給を遮断する。また、メインＣＰＵ１０１は、電源キー１０が押下されたことを検出しても、押下されたことを無視する。
【００３４】
電源が切断された携帯電話機５は、送話キー３０の押下を検出できるように電源ＩＣ１００のキースキャンを動作させる。携帯電話機５は、その他のブロックに対しては、電源オフの時と同じ制御を行う（ステップＳ２）。
【００３５】
ここで、ユーザは、最後に通話した相手先の携帯電話機６に、携帯電話機５の電池が切れたことを通知する場合、携帯電話機５の送話キー３０を長押しすることとする。なお、誤操作されにくい方法であれば、携帯電話機５の送話キー３０を長押しすることに限られず、例えば、他のキーを長押しすることであってもよい。
【００３６】
電源ＩＣ１００は、キースキャンにより、送話キー３０が長押しされたか否かを判断する（ステップＳ３）。電源ＩＣ１００は、例えば、送話キー長押し信号１５０を受信した場合に、送話キー３０が長押しされたと判断する。送話キー３０が長押しされたと判断した場合（Ｙｅｓ）、ステップＳ４に移行する。送話キー３０が長押しされていないと判断した場合（Ｎｏ）、ステップＳ２に移行する。
【００３７】
ステップＳ４において、携帯電話機５は、電池切れにより電源が切断された状態で所定の処理を実行する。電池切れ後に実行される所定の処理は、電池切れの際の電池の残容量の範囲内で動作可能な処理である。以下、所定の処理として、最後に通話していた相手に電池が切れた旨のメールを送信する処理を例にして説明するが、電池が切れた時に実行したい処理であれば、他の処理であってもよい。
【００３８】
以下、ステップＳ４の処理について、図６を参照して説明する。図６は、電池切れ後に実行する処理を示すフローチャートである。
【００３９】
送話キー３０が長押しされたと判断すると、電源ＩＣ１００は、メインＣＰＵ１０１に電源供給を行う。また、電源ＩＣ１００は、メインＣＰＵ１０１に、電池切れ後の機能の起動を要求する機能起動要求信号２００を送信する（ステップＳ４−１）。
【００４０】
メインＣＰＵ１０１は、電源ＩＣ１００からの電源供給と機能起動要求信号２００とを受けて、無線部１０２を起動させるための処理を実行する（ステップＳ４−２）。ステップＳ４−２において、メインＣＰＵ１０１は、無線部１０２への電源供給を要求する電源供給要求信号２０１を電源ＩＣ１００に送信する。また、メインＣＰＵ１０１は、無線部１０２のリセットを解除し、無線部１０２を起動させる無線部リセット解除信号２０２を無線部１０２に送信し、無線部１０２を起動させる。
【００４１】
また、メインＣＰＵ１０１は、メモリ１０３から、あらかじめ記憶されているメール文と電池が切れる前に最後に通話した相手のメールアドレスの情報とを含むメール情報２０３を読み出す。メインＣＰＵ１０１は、メモリ１０３から読み出したメール情報２０３を無線部１０２に送信する（ステップＳ４−３）。
【００４２】
無線部１０２は、メール情報２０３を受信し、メール情報２０３に含まれるメール文２０４を相手先携帯電話機６に送信する。送信が完了すると、無線部１０２は、送信が完了したことを示す送信完了信号２０５をメインＣＰＵ１０１に送信する（ステップＳ４−４）。
【００４３】
メインＣＰＵ１０１は、送信完了信号２０５を受信すると、無線部１０２を停止させるための処理を実行する（ステップＳ４−５）。メインＣＰＵ１０１は、無線部１０２への電源供給を停止することを要求する電源供給停止要求信号２０６を電源ＩＣ１００に送信する。また、メインＣＰＵ１０１は、無線部１０２を停止させる無線部リセット信号２０７を無線部１０２に送信し、無線部１０２を停止させる。
【００４４】
次に、ステップＳ５の処理について図５を参照して説明する。ステップＳ５は、所定の処理（メール送信）の実行を完了したことをユーザに通知するための処理である。
【００４５】
メインＣＰＵ１０１は、表示部１０４に、メールの送信完了の表示を要求する表示要求信号２０８を送信する。また、メインＣＰＵ１０１は、表示部用バックライト制御ＩＣ１０５に、バックライトの点灯を要求するバックライト点灯要求信号２０９を送信する。
【００４６】
表示部１０４は、表示要求信号２０８を受信すると、メールの送信を完了したことを示す情報を表示する。また、表示部用バックライト制御ＩＣ１０５は、バックライト点灯要求信号２０９を受信すると、バックライトを点灯する制御を行う。携帯電話機５は、ステップＳ５の処理をもって一連の処理を終了する。
【００４７】
携帯電話機５は、上述したように、ステップＳ４においてメール送信を行い、ステップＳ５において送信完了表示を行う。メール送信と、表示部１０４における送信完了表示とを同時に行うと、消費電力がより大きくなって電圧降下が発生し、メール送信の処理中に動作電圧を割り、メールを送信できなくなる可能性がある。そのため、メール送信の一連の動作が完了した後に、表示動作を行うことが望ましい。
【００４８】
また、上述した動作の間、メインＣＰＵ１０１は、ＬＶＡ後の電池容量を有効活用するため、不要なブロックの起動を一切行わない。
【００４９】
以上に説明したように、第１の実施形態によれば、通常使用することができない電池切れの携帯機器でも、１回ないし複数回、所定の機能を起動し、処理が完了したことを確認することができる。また、ＬＶＡ後の僅かな電池容量を有効に使用できる。
【００５０】
実施形態２．
次に、本発明の第２の実施形態を図面を参照して説明する。図７は、第２の実施形態の携帯電話機５の構成例を示すブロック図である。図７に示す携帯電話機５は、送話（緊急）キー３０と、電源ＩＣ１００と、メインＣＰＵ１０１と、無線部１０２と、メモリ１０３と、表示部１０４と、表示部用バックライト制御ＩＣ１０５と、ＧＰＳ１０６とを備える。
【００５１】
第２の実施形態において、携帯電話機５は、第１の実施形態には設けられていないＧＰＳ１０６を備える。第２の実施形態において、携帯電話機５は、電池切れ後に実行する所定の処理として、位置情報を含むメールの送信を行う。
【００５２】
ＧＰＳ１０６は、ＧＰＳ衛星からの電波に基づいて、所定の時間間隔で携帯電話機５の位置を測定する（自動取得モード）。例えば、メインＣＰＵ１０１は、ＧＰＳ１０６が測定した位置を示す位置情報２１０をメモリ１０３に記憶させる。メモリ１０３は、位置情報２１０を、例えば、位置を測定した時刻を示すデータとともに時系列的に記憶する。
【００５３】
なお、携帯電話機５のその他の構成は、第１の実施形態における構成（図４参照。）と同様であるため、説明を省略する。
【００５４】
次に、図５、図６および図７を参照して第２の実施形態の動作について説明する。以下、第１の実施形態の動作と異なる動作について説明する。
【００５５】
ＧＰＳ１０６は、携帯電話機５が電池切れになる前に、所定の時間間隔で携帯電話機５の位置を測定し、測定した位置を示す位置情報２１０をメモリ１０３に記憶させる。電池２の電位が所定の閾値以下になった場合、携帯電話機５は、図５に示すステップＳ１〜Ｓ３の処理と、図６に示すステップＳ４−１、Ｓ４−２の処理を実行する。
【００５６】
ステップＳ４−３において、メインＣＰＵ１０１は、メモリ１０３からメール情報２０３を読み出す際に、ＧＰＳ１０６が測定した位置を示す位置情報２１０のうち、最新の位置情報２１１をメモリ１０３から読み出す。メインＣＰＵ１０１は、メモリ１０３から読み出したメール情報２０３と最新の位置情報２１１とを無線部１０２に送信する。
【００５７】
ステップＳ４−４において、無線部１０２は、メール情報２０３と最新の位置情報２１１とを受信し、メール情報２０３に含まれるメール文２０４と最新の位置情報２１１とを相手先携帯電話機６に送信する。送信が完了すると、無線部１０２は、送信が完了したことを示す送信完了信号２０５をメインＣＰＵ１０１に送信する。以降の動作は、第１の実施形態の動作と同様である。
【００５８】
なお、ステップＳ４−３において、メインＣＰＵ１０１は、ＧＰＳ１０６が定期的に位置情報をメモリ１０３に記憶させる自動取得モードである場合にのみ、位置情報を含むメールの送信を行うことが望ましい。ユーザ操作に応じて位置情報を取得する手動取得モードの場合、メモリ１０３が記憶する最新の位置情報２１１と言えども、携帯電話機５の実際の位置と大きく異なる可能性がある。そのため、手動取得モードの場合や、位置を測定した時刻から所定の時間を経過している場合には、位置情報を添付せずにメールの送信を行う。
【００５９】
以上に説明したように、第２の実施形態によれば、電池切れの場合に、最新の位置情報を含むメールを送信することができる。そのため、例えば、携帯電話機５が不通になっても、携帯電話機５の電池が切れた場所を特定でき、有益な情報を相手先の携帯電話機に提供することができる。
【００６０】
実施形態３．
次に、本発明の第３の実施形態を図面を参照して説明する。図８は、第３の実施形態の携帯電話機５の構成例を示すブロック図である。図８に示す携帯電話機５は、送話（緊急）キー３０と、電源ＩＣ１００と、メインＣＰＵ１０１と、無線部１０２と、メモリ１０３と、着信ＬＥＤ制御ＩＣ１０７とを備える。
【００６１】
第３の実施形態において、携帯電話機５は、第１の実施形態の表示部１０４および表示部用バックライト制御ＩＣ１０５に代えて、着信ＬＥＤ制御ＩＣ１０７を備える。第３の実施形態では、電力消費を更に少なくするため、電池切れ後の所定の処理の実行を完了したことを通知する際に、例えば、表示部１０４よりも消費電力の少ない着信ＬＥＤを点灯させる。
【００６２】
着信ＬＥＤ制御ＩＣ１０７は、着信ＬＥＤ（図示せず。）の点灯制御を行う。着信ＬＥＤ制御ＩＣ１０７は、メインＣＰＵ１０１から、着信ＬＥＤの点灯を要求する着信ＬＥＤ点灯要求信号２１２を受信すると、着信ＬＥＤを点灯する制御を行う。着信ＬＥＤは、表示部１０４より消費電力が小さい表示手段である。
【００６３】
なお、携帯電話機５のその他の構成は、第１の実施形態における構成（図４参照。）と同様であるため、説明を省略する。
【００６４】
次に、図５および図８を参照して第３の実施形態の動作について説明する。ステップＳ１からステップＳ４の処理は、第１の実施形態における処理と同様なため説明を省略する。
【００６５】
ステップＳ５において、メインＣＰＵ１０１は、メールの送信完了をユーザに通知するため、着信ＬＥＤ制御ＩＣ１０７に着信ＬＥＤ点灯要求信号２１２を送信する。
【００６６】
着信ＬＥＤ制御ＩＣ１０７は、メインＣＰＵ１０１から着信ＬＥＤ点灯要求信号２１２を受信すると、着信ＬＥＤを点灯する制御を行う。着信ＬＥＤ制御ＩＣ１０７は、所定の時間青色を点灯し続けるなどして、ユーザにメールの送信が完了したことを通知する。なお、着信ＬＥＤの色や点灯時間は、通知がされていることがわかるような色、時間であればよい。
【００６７】
第３の実施形態によれば、表示部や表示部用バックライトの電流消費も軽視できない場合に、さらに電力消費を少なくすることができる。また、第３の実施形態は、表示部がない携帯機器においても有効である。
【００６８】
実施形態４．
次に、本発明の第４の実施形態を説明する。第４の実施形態において、携帯電話機５は、電池切れ後に実行する所定の処理として、受信側が変換可能なメッセージを含むメールの送信を行う。第４の実施形態の携帯電話機５の構成および動作は、第１の実施形態の構成（図４参照。）および動作（図５参照。）と同様である。
【００６９】
第４の実施形態において、メモリ１０３は、メール文として、受信側が変換可能なメッセージをあらかじめ記憶する。メモリ１０３は、例えば、メール文「電池が切れたため、電話ができません」に対応するデータとして、「＃１」を記憶する。無線部１０２は、メール文として「＃１」を相手先携帯電話機６に送信する。
【００７０】
メールを受信した相手先携帯電話機６は、メール文「＃１」をあらかじめ定められたルールにしたがって変換する。例えば、相手先携帯電話機６は、メール文「＃１」を「電池が切れたため、電話ができません」と自動的に変換する。
【００７１】
第４の実施形態によれば、送信する情報量が少なくなるため、送信時間が短くなり、送信にかかる電力消費を少なくすることができる。
【００７２】
実施形態５．
次に、本発明の第５の実施形態を図面を参照して説明する。図９は、第５の実施形態の携帯電話機５の構成例を示す説明図である。図９（ａ）は、携帯電話機５の構成例を示す正面図である。図９（ｂ）は、携帯電話機５の構成例を示す背面図である。携帯電話機５は、電池２と、電源キー１０と、送話キー３０と、テンキー４０と、表示部１０４とを備える。
【００７３】
図１０は、第５の実施形態の携帯電話機５の構成例を示すブロック図である。図１０に示す携帯電話機５は、送話（緊急）キー３０と、テンキー４０と、電源ＩＣ１００と、メインＣＰＵ１０１と、無線部１０２と、メモリ１０３と、表示部１０４と、表示部用バックライト制御ＩＣ１０５とを備える。
【００７４】
第１〜第４の実施形態では、送話キー３０のみにメール送信機能が割り当てられている。そのため、異なる文面のメールを送信することができない。第５の実施形態では、テンキー４０にそれぞれ異なるメール文章を割り当てることにより、数種類のメールを送信することができる。
【００７５】
テンキー４０は、電池切れ後に、それぞれ異なるメール文章を送信するためのキーとして動作する。テンキー４０は、ＬＶＡにより電源が切断された状態においてユーザによって所定の時間押下されると、電源ＩＣ１００にテンキー長押し信号１６０を出力する。テンキー長押し信号１６０は、押下されたテンキー４０のキー番号を示す情報を含む。
【００７６】
電源ＩＣ１００は、テンキー４０の押下を検出可能なキースキャン機能を有し、ＬＶＡにより電源が切断された状態においてテンキー４０長押し信号１６０を受信した場合に、メインＣＰＵ１０１への電源供給および機能起動要求信号２００の送信を行う。第５の実施形態において、機能起動要求信号２００は、押下されたキー番号を示す情報を含む。
【００７７】
メインＣＰＵ１０１は、電源供給および機能起動要求信号２００の受信に応じて、無線部１０２を起動させる。また、メインＣＰＵ１０１は、メール文として、押下されたテンキー４０のキー番号に対応するメール文をメモリ１０３から読み出し、メール情報２０３を無線部１０２に送信する。
【００７８】
メモリ１０３は、例えば、テンキー４０のキー番号を示す情報に対応付けて、メール文を記憶する。
【００７９】
また、送信可能なメールの種類が数種類になると、どのキーにどのメッセージが割り当てられているか忘れてしまう場合も考えられる。第５の実施形態では、送話キー３０が長押しされた場合、メール送信前にキー番号とメッセージ内容との対応表を表示部１０４に表示させてもよい。その後、送信したいメッセージに対応した番号のテンキー４０が押下されると、携帯電話機５は、押下された番号に対応するメッセージを送信する。なお、対応表を表示させる時間は、ＬＶＡ後の電池残量が少ないため、ある一定時間とする必要がある。
【００８０】
次に、図１０および図１１を参照して第５の実施形態の動作について説明する。図１１は、第５の実施形態における携帯電話機５の動作を示すフローチャートである。なお、図１１におけるステップＳ１からステップＳ３、ステップＳ５の処理は、実施形態１における処理と同様なため説明を省略する。以下、ステップＳ３において、送話キー３０が長押しされたと判断した場合（Ｙｅｓ）について説明する。
【００８１】
ステップＳ１４において、携帯電話機５は、キー番号とメッセージ内容との対応表を表示する処理を実行する。以下、ステップＳ１４の処理について、図１２を参照して説明する。図１２は、キー番号とメッセージ内容との対応表を表示する処理を示すフローチャートである。
【００８２】
電源ＩＣ１００は、メインＣＰＵ１０１に電源供給を行う。また、電源ＩＣ１００は、メインＣＰＵ１０１に、電池切れ後の機能の起動を要求する機能起動要求信号２００を送信する（ステップＳ１４−１）。
【００８３】
メインＣＰＵ１０１は、電源ＩＣ１００からの電源供給と機能起動要求信号２００とを受けて、キー番号とメッセージ内容との対応表を表示させるための処理を実行する（ステップＳ１４−２）。ステップＳ１４−２において、メインＣＰＵ１０１は、例えば、対応表データを含む対応表表示信号２１３を表示部１０４に送信する。また、メインＣＰＵ１０１は、表示部用バックライト制御ＩＣ１０５に、バックライト点灯要求信号２０９を送信する。
【００８４】
表示部１０４は、対応表表示信号２１３を受信すると、テンキーのキー番号に対応したメッセージ内容（対応表）を表示する。また、表示部用バックライト制御ＩＣ１０５は、バックライト点灯要求信号２０９を受信すると、バックライトを点灯する制御を行う（ステップＳ１４−３）。
【００８５】
また、メインＣＰＵ１０１は、内部タイマ（図示せず。）でカウントを開始し、所定の時間が経過すると、対応表の表示を停止させるための処理を実行する（ステップＳ１４−４）。例えば、表示時間が１０秒と設定されている場合、メインＣＰＵ１０１は、カウント開始から１０秒後に、表示を停止させる表示停止信号２１４を表示部１０４に送信する。また、メインＣＰＵ１０１は、バックライトの点灯を停止させるバックライト消灯信号２１５を表示部用バックライト制御ＩＣ１０５に送信する。なお、表示時間は、例えば、メモリ１０３にあらかじめ記憶されている。
【００８６】
表示部１０４は、表示停止信号２１４を受信すると、表示を停止する。また、表示部用バックライト制御ＩＣ１０５は、バックライト消灯信号２１５を受信すると、バックライトの点灯を停止する制御を行う（ステップＳ１４−５）。
【００８７】
続いて、図１１を参照して説明する。対応表が表示されたことにより、送信したいメッセージに対応する番号がわかるため、ユーザは、送信したいメッセージに対応する番号のテンキー４０を長押しする。電源ＩＣ１００は、キースキャンにより、テンキー４０が長押しされたか否かを判断する（ステップＳ２３）。電源ＩＣ１００は、例えば、テンキー長押し信号１６０を受信した場合に、テンキー４０が長押しされたと判断する。
【００８８】
テンキー４０が長押しされたと判断した場合（Ｙｅｓ）、携帯電話機５は、押下されたキーに応じたメールを送信する（ステップＳ２４）。具体的には、メインＣＰＵ１０１は、メール文として、押下されたテンキー４０のキー番号に対応するメール文をメモリ１０３から読み出し、無線部１０２は、相手先携帯電話機６に送信する。送信が完了すると、メインＣＰＵ１０１は、無線部１０２を停止させるための処理を実行する。
【００８９】
最後に、携帯電話機５は、ステップＳ５の処理を行い、一連の処理を終了する。
【００９０】
以上に説明したように、第５の実施形態によれば、キー番号とメッセージ内容との対応表を表示して、押下されたキーに応じた内容のメールを送信することができる。
【００９１】
実施形態６．
次に、本発明の第６の実施形態を説明する。第５の実施形態では、テンキー４０にそれぞれ異なるメッセージを割り当てたが、テンキー４０にそれぞれ異なる機能を割り当ててもよい。
【００９２】
携帯機器１の中には、携帯電話機５のように多くの機能を有する機器がある。多機能であると、例えば、電池が切れた後にどの機能を使いたいか、ユーザによって異なる可能性が高くなる。テンキー４０にそれぞれ異なる機能を割り振ることにより、電池が切れた後も、電話帳の閲覧や、留守番メッセージの再生など様々な機能が起動できるため、汎用性を高めることが可能である。
【００９３】
テンキー４０は、電池切れ後に、それぞれ異なる機能を起動するためのキーとして動作する。テンキー４０は、ＬＶＡにより電源が切断された状態においてユーザによって所定の時間押下されると、電源ＩＣ１００にテンキー長押し信号１６０を出力する。テンキー長押し信号１６０は、押下されたテンキー４０のキー番号を示す情報を含む。
【００９４】
メインＣＰＵ１０１は、電源供給および機能起動要求信号２００を受信すると、押下されたテンキー４０のキー番号に対応する処理を実行する。
【００９５】
メモリ１０３は、例えば、テンキー４０のキー番号を示す情報に対応する処理を示すプログラムを記憶する。メインＣＰＵ１０１は、例えば、押下されたテンキー４０のキー番号に対応するプログラムを実行する。
【００９６】
なお、メール送信以外の機能の起動についても、ＬＶＡ後の僅かな電池容量を使用するので、表示時間を制限するなど省電力を図る必要がある。
【００９７】
第６の実施形態によれば、押下されたキーに応じた機能を実行することができる。
【００９８】
実施形態７．
次に、本発明の第７の実施形態を図面を参照して説明する。図１３は、第７の実施形態の携帯電話機５の構成例を示すブロック図である。図１３に示す携帯電話機５は、テンキー４０と、電源ＩＣ１００と、メインＣＰＵ１０１と、無線部１０２と、メモリ１０３と、表示部１０４と、表示部用バックライト制御ＩＣ１０５とを備える。
【００９９】
第１〜第５の実施形態では、最後に通話をした相手にメールを送信しているが、最後に通話をした相手が、電池が切れた後にメールを送信したい相手とは限らない。第７の実施形態では、テンキー４０を用いてメールの宛先を自由に選択することができる。
【０１００】
ユーザは、電池が切れた携帯電話機５のテンキー４０を使用して、メールを送信したい相手の名前の最初の１文字が含まれる行に対応するテンキー４０を長押しする。例えば、最初の１文字が「か行」に含まれる相手を送信先にしたい場合、番号２のテンキー４０を長押しする。番号２のテンキー４０が長押しされると、携帯電話機５は、か行の電話帳を表示する。携帯電話機５は、電話帳表示中に押下された番号に対応する宛先にメールを送信する。
【０１０１】
なお、最初の１文字を英数字で登録している相手に送信する場合、英数字に対応するテンキーとして割り当てられたキーを長押しする。例えば、英数字に対応するテンキーとして＃キーや＊キーが割り当てられている場合、＃キーまたは＊キーを長押しすることにより、英数字の電話帳が表示される。
【０１０２】
次に、図１３および図１４を参照して第７の実施形態の動作について説明する。図１４は、第７の実施形態における携帯電話機５の動作を示すフローチャートである。なお、図１４におけるステップＳ１、ステップＳ５の処理は、実施形態１における処理と同様なため説明を省略する。
【０１０３】
電源が切断された携帯電話機５は、テンキー４０の押下を検出できるように電源ＩＣ１００のキースキャンを動作させる。携帯電話機５は、その他のブロックに対しては、電源オフの時と同じ制御を行う（ステップＳ３２）。
【０１０４】
ユーザは、例えば佐藤さんに電池が切れた旨のメール送信を行いたい場合、最初の１文字が「さ行」に含まれるため、テンキー４０の番号３のキーを長押しする。番号２のテンキー４０が長押しされると、テンキー４０は３キー長押し信号１７０を電源ＩＣ１００に送信する。電源ＩＣ１００は、キースキャンにより３キー長押し信号１７０を受信し、番号３のキーが長押しされたと判断する（ステップＳ３３）。
【０１０５】
ステップＳ３４において、携帯電話機５は、さ行の電話帳を表示する処理を実行する。以下、ステップＳ３４の処理について説明する。
【０１０６】
電源ＩＣ１００は、メインＣＰＵ１０１に電源供給を行う。また、電源ＩＣ１００は、メインＣＰＵ１０１に、電池切れ後の機能の起動を要求する機能起動要求信号２００を送信する。
【０１０７】
メインＣＰＵ１０１は、電源ＩＣ１００からの電源供給と機能起動要求信号２００とを受けて、電話帳を表示させるための処理を実行する。メインＣＰＵ１０１は、例えば、さ行の電話帳データを含む電話帳表示信号２１６を表示部１０４に送信する。また、メインＣＰＵ１０１は、表示部用バックライト制御ＩＣ１０５に、バックライト点灯要求信号２０９を送信する。メインＣＰＵ１０１は、送信相手の選択待ち状態となる。
【０１０８】
表示部１０４は、電話帳表示信号２１６を受信すると、さ行の電話帳を表示する。また、表示部用バックライト制御ＩＣ１０５は、バックライト点灯要求信号２０９を受信すると、バックライトを点灯する制御を行う。
【０１０９】
さ行の電話帳を確認したユーザは、送信したい相手（佐藤さん）に対応付けられた番号（例えば２）のテンキー４０を押下する。番号２のテンキー４０が押下されると、テンキー４０は送信先選択キー１８０を電源ＩＣ１００に送信する。電源ＩＣ１００は、キースキャンにより送信先選択キー１８０を受信し、番号２のキーが押下されたと判断する（ステップＳ４３）。
【０１１０】
携帯電話機５は、押下されたキーに応じた宛先を設定したメールを送信する（ステップＳ４４）。具体的には、電源ＩＣ１００は、番号２のキーが押下されたことを示す番号選択信号２１７をメインＣＰＵ１０１に送信する。メインＣＰＵ１０１は、番号選択信号２１７を受信して、さ行の２番の佐藤さんが送信先であることを認識する。メインＣＰＵ１０１は、メモリ１０３から、あらかじめ記憶されているメール文と佐藤さんのメールアドレスの情報とを含むメール情報２１８を読み出し、無線部１０２に送信する。無線部１０２は、佐藤さん宛のメール情報２１８を受信し、送信する。送信が完了すると、メインＣＰＵ１０１は、無線部１０２を停止させるための処理を実行する。無線部１０２を停止させるための処理は、ステップＳ４−５の処理（図６参照。）と同様であるため、説明を省略する。
【０１１１】
最後に、携帯電話機５は、ステップＳ５の処理を行い、一連の処理を終了する。
【０１１２】
以上に説明したように、第７の実施形態によれば、電話帳を表示し、選択された宛先にメールを送信することができる。
【０１１３】
実施形態８．
次に、本発明の第８の実施形態を説明する。第１の実施形態では、携帯機器１として携帯電話機５を例にして説明したが、災害時に使用する携帯機器である防災無線機などであってもよい。防災無線機の電池が切れ、統制局と不通になってしまうと、報告ができないだけでなく、安否の確認もできなくなってしまう。
【０１１４】
本発明によれば、防災無線機が不通になった原因が電池切れによるものだと統制局に送信することができる。よって、統制局は不通の原因を確認することができ、併せて安否の確認ができるため、本発明は更に有効に活用できる。また、携帯機器１が、防災無線機の様な絶対的な送信相手が存在する携帯機器である場合、送信相手を固定できるため、本発明がユーザにとってより使い勝手が良いものになる。
【０１１５】
なお、上記に示した実施形態では、以下の（１）〜（１２）に示すような特徴的構成を備えた携帯機器が示されている。
【０１１６】
（１）電池の電力で駆動される携帯機器であって、所定の操作を検出する操作検出手段（例えば、操作検出手段３０１および電源ＩＣ１００で実現される）と、電池の電位が所定値以下になりユーザによる電源投入操作を禁止した状態になった後、操作検出手段にのみ電力を供給する電源制御手段（例えば、電源制御手段３０２および電源ＩＣ１００で実現される）と、操作検出手段が所定の操作を検出した場合に、電池の残電力で駆動され所定の処理を実行する実行手段（例えば、実行手段３０３、メインＣＰＵ１０１および無線部１０２で実現される）とを備えたことを特徴とする携帯機器。
【０１１７】
（２）電源制御手段は、ユーザによる電源投入操作を禁止した状態になった後、操作検出手段が所定の操作を検出した場合に、実行手段にのみ電力を供給する携帯機器。そのように構成された携帯機器は、電源投入操作禁止後の消費電力を少なくすることができる。
【０１１８】
（３）実行手段が所定の処理の実行を完了したことを通知させる制御を行う通知制御手段（例えば、メインＣＰＵ１０１、表示部１０４および表示部用バックライト制御ＩＣ１０５で実現される）を備えた携帯機器。そのように構成された携帯機器は、電源投入操作禁止後の消費電力を少なくすることができる。
【０１１９】
（４）携帯機器は、消費電力が異なる複数の表示手段を備え、通知制御手段は、消費電力が小さい表示手段に、所定の処理の実行を完了したことを通知させる制御を行う携帯機器。そのように構成された携帯機器は、電源供給停止後の消費電力をより少なくすることができる。
【０１２０】
（５）実行手段は、所定の処理として、所定の宛先を設定した所定の文面を含む電子メールを送信する携帯機器。そのように構成された携帯機器は、電池が切れたことを示す電子メールを送信することができる。
【０１２１】
（６）ＧＰＳ機能によって自機の存在位置を検出するＧＰＳ手段（例えば、ＧＰＳ１０６で実現される）を備え、実行手段は、所定の処理として、ＧＰＳ手段が検出した存在位置を示す位置情報を含む電子メールを送信する携帯機器。そのように構成された携帯機器は、電池が切れた位置を示す情報を送信することができる。
【０１２２】
（７）実行手段は、電子メールの文面に対応するデータであって、当該電子メールの文面を示すデータよりもデータサイズが小さく、受信側が変換可能なデータを電子メールとして送信する携帯機器。そのように構成された携帯機器は、電源供給停止後の消費電力をより少なくすることができる。
【０１２３】
（８）実行手段は、操作検出手段が検出した操作に応じて、異なる処理を実行する携帯機器。そのように構成された携帯機器は、ユーザの希望に応じた処理を実行することができる。
【０１２４】
（９）実行手段は、操作検出手段が検出した操作に応じて、異なる文面のメールを送信する携帯機器。そのように構成された携帯機器は、希望に応じたメールを送信することができる。
【０１２５】
（１０）実行手段は、操作検出手段が検出した操作に応じて、異なる宛先を設定した電子メールを送信する携帯機器。そのように構成された携帯機器は、希望に応じた宛先にメールを送信することができる。
【０１２６】
（１１）携帯機器は、防災無線機である携帯機器。
【産業上の利用可能性】
【０１２７】
本発明は、電池式の携帯機器に効果的に適用できる。
【図面の簡単な説明】
【０１２８】
【図１】本発明による携帯機器の最小の構成例を示すブロック図である。
【図２】第１の実施形態の携帯機器の構成例を示す説明図である。
【図３】第１の実施形態の携帯電話機の構成例を示す説明図である。
【図４】第１の実施形態の携帯電話機の構成例を示すブロック図である。
【図５】第１の実施形態における携帯電話機の動作を示すフローチャートである。
【図６】電池切れ後に実行する処理を示すフローチャートである。
【図７】第２の実施形態の携帯電話機の構成例を示すブロック図である。
【図８】第３の実施形態の携帯電話機の構成例を示すブロック図である。
【図９】第５の実施形態の携帯電話機の構成例を示す説明図である。
【図１０】第５の実施形態の携帯電話機の構成例を示すブロック図である。
【図１１】第５の実施形態における携帯電話機の動作を示すフローチャートである。
【図１２】キー番号とメッセージ内容との対応表を表示する処理を示すフローチャートである。
【図１３】第７の実施形態の携帯電話機の構成例を示すブロック図である。
【図１４】第７の実施形態における携帯電話機の動作を示すフローチャートである。
【符号の説明】
【０１２９】
３０１  操作検出手段
３０２  電源制御手段
３０３  実行手段
【図１】
0004565255.tif 000002
【図２】
0004565255.tif 000003
【図３】
0004565255.tif 000004
【図４】
0004565255.tif 000005
【図５】
0004565255.tif 000006
【図６】
0004565255.tif 000007
【図７】
0004565255.tif 000008
【図８】
0004565255.tif 000009
【図９】
0004565255.tif 000010
【図１０】
0004565255.tif 000011
【図１１】
0004565255.tif 000012
【図１２】
0004565255.tif 000013
【図１３】
0004565255.tif 000014
【図１４】
0004565255.tif 000015